(57)【要約】【課題】本発明は、印刷開始までの時間を短縮し、かつ簡易な構成の印刷サービスシステムで運用可能なプリント端末の提供を目的とする。【解決手段】本発明に係るプリント端末１１は、取得した画像データを印刷して提供するプリント端末１１であって、画像データを取得する画像データ取得部６と、プリント端末１１の使用者に対してユーザ情報を設定するユーザ情報設定部７と、取得した画像データをユーザ情報と関連付けて記憶する画像データ蓄積部２１と、ユーザ情報を設定した使用者に対して当該ユーザ情報を出力するユーザ情報出力部８と、プリント端末１１を使用する使用者がユーザ情報を入力可能なユーザ情報入力部１４と、を備え、ユーザ情報入力部１４にユーザ情報が入力されたときに、当該ユーザ情報と関連付けられた画像データを印刷可能とすることを特徴とする。【選択図】図１
2015000504.tif 000002
【特許請求の範囲】
【請求項１】
取得した画像データを印刷して提供するプリント端末であって、
前記画像データを取得する画像データ取得部と、
前記プリント端末の使用者に対してユーザ情報を設定するユーザ情報設定部と、
取得した前記画像データを前記ユーザ情報と関連付けて記憶する画像データ蓄積部と、
前記ユーザ情報を設定した使用者に対して当該ユーザ情報を出力するユーザ情報出力部と、
前記プリント端末を使用する前記使用者が前記ユーザ情報を入力可能なユーザ情報入力部と、
を備え、
前記ユーザ情報入力部に前記ユーザ情報が入力されたときに、当該ユーザ情報と関連付けられた前記画像データを印刷可能とすることを特徴とする、
プリント端末。
【請求項２】
前記画像データ取得部は、前記画像データが添付されたメールを受信するメール受信部を備えることを特徴とする、
請求項１に記載のプリント端末。
【請求項３】
前記画像データ取得部は、記憶媒体を装着するインターフェースをさらに備え、
当該記憶媒体に記憶されている前記画像データを取得することを特徴とする、
請求項２に記載のプリント端末。
【請求項４】
前記画像データ取得部は、携帯型電子機器を直接接続するインターフェースをさらに備え、
当該携帯端末に記憶されている前記画像データを取得することを特徴とする、
請求項２または請求項３に記載のプリント端末。
【請求項５】
前記ユーザ情報出力部は、所定のアドレスに対して前記ユーザ情報を記載したメールを送信するメール送信部を備える、
請求項１〜４のいずれかに記載のプリント端末。
【請求項６】
前記ユーザ情報出力部は、前記ユーザ情報を印刷出力するユーザ情報印刷出力部をさらに備える、
請求項５に記載のプリント端末。
【請求項７】
前記ユーザ情報出力部は、前記ユーザ情報が埋め込まれた２次元コードを印刷出力する２次元コード印刷出力部をさらに備え、
前記ユーザ情報入力部は、前記２次元コードを読み取ることを特徴とする、
請求項５または請求項６に記載のプリント端末。
【請求項８】
前記２次元コードはＱＲコード（登録商標）であることを特徴とする、
請求項７に記載のプリント端末。
【請求項９】
前記ユーザ情報出力部は、前記ユーザ情報が埋め込まれたバーコードを印刷出力するバーコード印刷出力部をさらに備え、
前記ユーザ情報入力部は、前記バーコードを読み取ることを特徴とする、
請求項５または請求項６に記載のプリント端末。
【請求項１０】
前記画像データ蓄積部に記憶されているデータをバックアップするバックアップ部をさらに備える、
請求項１〜９のいずれかに記載のプリント端末。
【発明の詳細な説明】
【技術分野】
【０００１】
本発明はプリント端末に関し、特に取得した画像データを印刷して提供するプリント端末に関する。
【背景技術】
【０００２】
従来の印刷サービスシステムは、例えば、各地域に設置された複数のプリント端末と、各プリント端末とインターネットを介して接続されたサーバ装置とから構成される。使用者は、撮影した写真の画像データを電子メールに添付するなどしてサーバ装置に送信する。このようにして、サーバ装置には画像データが蓄積される。使用者は、所望の地域に設置されているプリント端末において、プリント端末を操作することにより、サーバ装置からプリント端末に画像データがダウンロードされ、画像データの印刷が行われる（例えば特許文献１を参照）。
【先行技術文献】
【特許文献】
【０００３】
【特許文献１】特開２００４−１７８３９２号公報
【発明の概要】
【発明が解決しようとする課題】
【０００４】
上記特許文献１に記載の印刷サービスシステムは、使用者が利用するプリント端末とは別にサーバ装置を設けなければならず、サーバ装置本体のコスト、およびサーバ装置の管理コストが必要であった。
【０００５】
また、使用者がプリント端末で印刷を行う度に、サーバ装置から画像データをダウンロードしなければならなかった。つまり、画像データの転送時間を要するため、印刷開始までに時間がかかるという問題点があった。
【０００６】
本発明は以上のような課題を解決するためになされたものであり、印刷開始までの時間を短縮し、かつ簡易な構成の印刷サービスシステムで運用可能なプリント端末の提供を目的とする。
【課題を解決するための手段】
【０００７】
本発明に係るプリント端末は、取得した画像データを印刷して提供するプリント端末であって、画像データを取得する画像データ取得部と、プリント端末の使用者に対してユーザ情報を設定するユーザ情報設定部と、取得した画像データをユーザ情報と関連付けて記憶する画像データ蓄積部と、ユーザ情報を設定した使用者に対して当該ユーザ情報を出力するユーザ情報出力部と、プリント端末を使用する使用者がユーザ情報を入力可能なユーザ情報入力部と、を備え、ユーザ情報入力部にユーザ情報が入力されたときに、当該ユーザ情報と関連付けられた画像データを印刷可能とすることを特徴とする。
【発明の効果】
【０００８】
本発明に係るプリント端末において、画像データ取得部を、画像が添付された電子メールを受信することにより画像データを取得する構成とし、さらに、取得した画像データを、プリント端末内の画像データ蓄積部に蓄積する構成とすれば、使用者は予めプリント端末本体に画像データを蓄積しておくことが可能となる。よって、画像データを蓄積するための共通サーバが必要なくなる。よって、共通サーバから画像データをダウンロードする必要がないため、ダウンロードに要する時間が無くなり使用者の使い勝手が向上する。また、印刷を行う度に共通サーバから画像をダウンロードしなくて済むため、利便性が向上する。また、共通のサーバが必要なくなるため、印刷サービスシステム全体の構成が簡易になり、設備コストおよび運用コストが低減される。
【図面の簡単な説明】
【０００９】
【図１】実施の形態１に係る印刷サービスシステムの構成を示す図である。
【図２】実施の形態１に係るプリント端末の機能ブロック図である。
【図３】実施の形態１に係るプリント端末の斜視図である。
【図４】実施の形態１に係るプリント端末の使用手順を示すフローチャートである。
【図５】カメラ付き携帯電話の画面の一例を示す図である。
【図６】実施の形態１に係るプリント端末の表示画面の一例を示す図である。
【図７】実施の形態１に係るプリント端末の画像取得動作を示すフローチャートである。
【図８】実施の形態１に係るプリント端末の画像提供動作を示すフローチャートである。
【図９】実施の形態２に係るプリント端末の機能ブロック図である。
【図１０】実施の形態３に係るプリント端末の機能ブロック図である。
【発明を実施するための形態】
【００１０】
＜実施の形態１＞
＜構成＞
図１に、プリント端末１１，１２…１ｎを含む印刷サービスシステムの構成を示す。図１に示すように、使用者の携帯型電子機器（例えばカメラ付き携帯電話２０）とプリント端末１１，１２…１ｎとは、通信キャリアネットワーク３１およびインターネット３０を介して接続されている。本実施の形態では、使用者は携帯型電子機器としてカメラ付き携帯電話２０を用いてプリントサービスを受けることとする。使用者のカメラ付き携帯電話２０からは、ウェブサイト（利用案内サイト）３にアクセスすることができる。
【００１１】
図２に、プリント端末１１の機能ブロック図を示す。プリント端末１１は、図２の各ブロックの動作を制御する制御部５と、インターネット３０等の広域通信網に接続するネットワークインターフェース（以下ネットワークＩ／Ｆ）４を備える。
【００１２】
プリント端末１１はさらに、画像データを一時的に保持するデータ保持部１３と、後述するユーザ情報の入力を受け付けるユーザ情報入力部１４と、使用者の操作を受け付ける操作部１５と、プリント端末１１の使用者ごとに画像データを蓄積する画像データ蓄積部２１とを備える。
【００１３】
画像データ蓄積部２１内には、各使用者に対応する複数のユーザディレクトリ（第１、第２…第ｍのユーザディレクトリ２１１，２１２…２１ｍ）が設けられている。
【００１４】
プリント端末１１はさらに、使用者から画像データを取得する画像データ取得部６と、プリント端末１１の使用者に対してユーザ情報を設定するユーザ情報設定部７と、設定したユーザ情報を使用者に対して出力するユーザ情報出力部８とを備える。
【００１５】
画像データ取得部６は、画像データが添付された電子メールをネットワークＩ／Ｆ４を介して受信するメール受信部６１と、受信した電子メールから添付画像データを分離してデコードする受信ファイルデコード部６２とを備える。
【００１６】
ユーザ情報出力部８は、使用者のカメラ付き携帯電話２０のメールアドレスに対してユーザ情報が記載された電子メールを送信するメール送信部８１を備える。
【００１７】
プリント端末１１はさらに、第１，第２…第ｍのユーザディレクトリ２１１，２１２…２１ｍ）に格納されている画像データの管理を行うファイル管理部９と、画像データ蓄積部２１の所定の画像データをデータ保持部１３にコピーするデータ受信部１０と、データ保持部１３の画像データに対して画像処理を行う画像処理部１６とを備える。
【００１８】
プリント端末１１はさらに、画像処理された画像データを表示する画面表示部４０と、画像データの印刷に対する課金処理を行う課金処理部１８と、画像データの印刷を行う印刷処理部１９とを備える。
【００１９】
前述したユーザ情報とは、プリント端末１１を使用する使用者ごとに設定される情報である。ユーザ情報は、ユーザＩＤ、パスワードおよび機器識別情報から構成される。ユーザＩＤとしては、使用者から送信された電子メールの送信元のアドレスが設定される。また、送信元のアドレスに基づいて設定してもよい。パスワードは他の使用者のパスワードと重複しないように設定される。なお、機器識別情報は、プリント端末１１に固有の機器識別情報であって、例えば機器のシリアル番号である。
【００２０】
また、図３にプリント端末１１の斜視図を示す。使用者は画面表示部４０に表示される画像に基づいて、例えば、画面表示部４０に重ねられたタッチパネルとしての操作部１５により操作を行う。使用者はコイン投入口５２から印刷枚数などに応じて所定の金額を投入する。印刷された画像は画像取り出し口５１を通じて使用者に提供される。
【００２１】
なお、プリント端末１２，１ｎの構成は、プリント端末１１の構成と同じため、説明を省略する。
【００２２】
＜動作＞
図４に、プリント端末１１を使用する手順をフローチャートで示す。まず、ステップＳ１０１において、使用者はカメラ付き携帯電話２０で写真を撮影して画像データを得る。なお、写真を撮影せず、カメラ付き携帯電話２０に予め記憶されている画像データを利用してもよい。
【００２３】
次に、使用者はカメラ付き携帯電話２０からウェブサイト３にアクセスして、プリントサービスの利用方法を確認する（ステップＳ１０２）。ここで、ウェブサイト３は各携帯電話キャリアに対応したウェブサイトであり、プリントサービスを利用したい使用者がインターネット３０を介してアクセスするものである。ウェブサイト３にアクセスすると、使用者の所有するカメラ付き携帯電話２０の画面には、プリント端末１１の設置場所の情報を含む利用案内画面が表示される。
【００２４】
次に、使用者は、ウェブサイト３の利用案内画面で利用方法を確認して、その利用方法に従って、カメラ付き携帯電話２０で撮影した画像を電子メールに添付して、プリント端末１１，１２…１ｎのうち、所望のプリント端末に直接送信する。ここでは、プリント端末１１に直接送信するとする（ステップＳ１０３）。
【００２５】
図５（ａ）に、画像添付電子メールを送信するときのカメラ付き携帯電話２０に表示される画面の一例を示す。図５（ａ）に示すように、送信元としての自己のメールアドレス、送信先としてプリント端末１１のメールアドレスが表示されている。また、使用者がプリントアウトする画像を容易に認識できる件名、および添付画像データのファイル名が表示されている。
【００２６】
使用者がプリント端末１１に対して画像添付電子メールを送信すると、使用者のカメラ付き携帯電話２０は、プリント端末１１から、ユーザ情報が記載された電子メールを受信する（ステップＳ１０４）。図５（ｂ）に、電子メールを受信したときのカメラ付き携帯電話２０の表示画面の一例を示す。図５（ｂ）に示すように、受信した電子メールには、ユーザ情報としてユーザＩＤ、パスワードおよび機器識別情報が記載されている。
【００２７】
なお、プリント端末１１に送信した電子メールに画像データが添付されていなかった場合は、プリント端末１１は、使用者に対して受信した電子メールに画像の添付が無い旨を記載した電子メールを送信する。
【００２８】
プリント端末１１からユーザ情報が記載された電子メールを受け取った使用者は、ウェブサイト３を参照して、プリント端末１１が設置してある場所を確認して、設置場所に行く。プリント端末１１，１２…１ｎは複数のユーザが自由に立ち寄って利用できる場所に設置されることが望ましいので、例えば、コンビニエンスストア、スーパーマーケット、あるいは、百貨店等の店内や、ＤＰＥショップ内、または、駅の構内などに設置される。
【００２９】
ステップＳ１０５において、プリント端末１１の設置場所に行った使用者は、プリント端末１１のユーザ情報入力部１４からユーザ情報を入力する。具体的には、ユーザ情報入力部１４は例えば画面表示部４０に表示されるタッチパネル式キーボードであり、使用者は、プリント端末１１から送信された電子メールに記載されているユーザ情報（ユーザＩＤ、パスワードおよび機器識別番号）を入力する。
【００３０】
ユーザ情報が正しく入力されると、使用者が予め送信した画像の一覧が画面表示部４０に表示される。図６に画面表示部４０の模式図を示す。図６のプレビュー部４２には、複数の画像が同時に表示される。使用者は、プレビュー部４２で画像を確認しながら、印刷する画像の選択や枚数／サイズの指定を行う（ステップＳ１０６）。
【００３１】
具体的には、プレビュー部４２に表示されている画像のいずれかを直接指で触って、画像を選択し、その後に、テンキー４１により、印刷枚数やサイズの指定を行う。また、画像が多数ある場合は、前頁および後頁に画面を切り替えるための頁送りボタン４３により、プレビュー部４２の頁を切り替える。課金処理部１８によりプリント料金が計算され、画面表示部４０の課金表示部４４に表示される。また、課金表示部４４には投入金額も表示される。
【００３２】
使用者が表示されている所定の金額をプリント端末１１のコイン投入口５２に投入することで、プリント端末１１は印刷処理部１９により画像の印刷を行う。なお、画像データ蓄積部２１内の画像ファイルは、ファイル管理部９により、保存から一定期間経過すると削除される。
【００３３】
次に、図７のフローチャートを用いてプリント端末１１の画像データ取得動作について説明する。まず、プリント端末１１のメール受信部６１は、ステップＳ２０１において画像添付メール（画像が添付された電子メール）を受信する。次に、メール受信部６１は、受信した電子メールに添付画像が有るか判断をする（ステップＳ２０２）。添付画像が無い場合は、その旨を記載した電子メールを送信元のメールアドレス（即ちカメラ付き携帯電話２０のメールアドレス）に送信する（ステップＳ２０３）。
【００３４】
一方、添付画像が有る場合には、受信ファイルデコード部６２は、電子メールから添付ファイルを抜き出し、デコードを行う（ステップＳ２０４）。ここでデコードとは例えばテキストデータを画像ファイルに変換することである。
【００３５】
次に、ステップＳ２０５において、ユーザ情報設定部７は、プリント端末１１の使用者に対してユーザ情報を設定する。具体的には、受信した画像添付メールのアドレスに基づいてユーザＩＤを作成して設定する。また、他の使用者のパスワードと重複しないようにパスワードを作成して設定する。さらに、プリント端末１１の機器識別情報を作成して設定する。さらにステップＳ２０６において、設定したユーザ情報に関連付けてユーザディレクトリ（例えば第１のユーザディレクトリ２１１）を画像データ蓄積部２１に作成する。ファイル管理部９は、作成したユーザディレクトリにデコードした添付画像を保存する。
【００３６】
なお、既に同じユーザＩＤが設定されている場合は、既存のユーザ情報と、それに関連付けられた既存のユーザディレクトリを使用する。
【００３７】
なお、ユーザディレクトリは、使用者ごとに作成されており、そこに保存された画像データは、ユーザＩＤ、使用者のメールアドレス、パスワードおよびプリント端末１１の機器識別情報により管理される。
【００３８】
最後に、ステップＳ２０７において、メール送信部８１は、使用者（即ちカメラ付き携帯電話２０のメールアドレス）に対してユーザ情報が記載された電子メールを送信する。
【００３９】
次に、図８のフローチャートを用いてプリント端末１１が画像データを印刷して使用者に提供する際の動作について説明する。
【００４０】
まず、ステップＳ３０１において、ユーザ情報入力部１４は、使用者によるユーザ情報の入力を受け付ける。次にステップＳ３０２において、制御部５は入力されたユーザ情報が正しいか判断を行う。入力されたユーザ情報が正しくない場合は、例えば画面表示部４０にその旨を表示して、再度ユーザ情報の入力を受け付ける。
【００４１】
一方、ステップＳ３０２において、入力されたユーザ情報が正しいと判断された場合、プリント端末１１のデータ受信部１０は、入力されたユーザ情報と関連付けられているユーザディレクトリ（例えば第１のユーザディレクトリ２１１）内の全ての画像データを、データ保持部１３にコピーする（ステップＳ３０３）。
【００４２】
そして、データ保持部１３にコピーされた画像データは、画像処理部１１においてサイズ調整等された後、画面表示部４０のプレビュー部４２（図６）に表示される（ステップＳ３０４）。プレビュー部４２には、複数の画像が同時に表示される。プレビュー部４２に表示された画像から任意の画像が使用者によって選択され、印刷処理部１７は、選択された画像の印刷を行う（ステップＳ３０５）。
【００４３】
なお、プリント端末１２，１ｎの動作は、プリント端末１１の動作と同じため、説明を省略する。
【００４４】
＜効果＞
本実施の形態におけるプリント端末１１は、取得した画像データを印刷して提供するプリント端末１１であって、画像データを取得する画像データ取得部６と、プリント端末１１の使用者に対してユーザ情報を設定するユーザ情報設定部７と、取得した画像データをユーザ情報と関連付けて記憶する画像データ蓄積部２１と、ユーザ情報を設定した使用者に対してユーザ情報を出力するユーザ情報出力部８と、プリント端末１１を使用する使用者がユーザ情報を入力可能なユーザ情報入力部１４と、を備え、ユーザ情報入力部１４にユーザ情報が入力されたときに、ユーザ情報と関連付けられた画像データを印刷可能とすることを特徴とする。
【００４５】
従って、画像データ取得部６を、画像が添付された電子メールを受信することにより画像データを取得する構成とし、さらに、取得した画像データを、プリント端末１１内の画像データ蓄積部２１に蓄積する構成とすれば、使用者は予めプリント端末１１本体に画像データを蓄積しておくことが可能となる。よって、従来の様に、プリント端末１１とは別の共通サーバから画像データをダウンロードする必要がないため、ダウンロードに要する時間が無くなり使用者の使い勝手が向上する。また、印刷を行う度にプリント端末１１とは別の共通サーバから画像をダウンロードしなくて済むため、利便性が向上する。また、共通のサーバが必要ないため、印刷サービスシステム全体の構成が簡易になり、設備コストおよび運用コストが低減される。
【００４６】
また、本実施の形態におけるプリント端末１１において、画像データ取得部６は、画像データが添付されたメールを受信するメール受信部６１を備えることを特徴とする。
【００４７】
従って、画像データが添付されたメールを受信して、画像データ蓄積部２１に蓄積することにより、使用者は予めプリント端末１１本体に画像データを蓄積しておくことが可能となる。よって、よって、従来の様に、プリント端末１１とは別の共通サーバから画像データをダウンロードする必要がないため、ダウンロードに要する時間が無くなり使用者の使い勝手が向上する。また、共通のサーバが必要ないため、印刷サービスシステム全体の設備コストおよび運用コストが低減される。
【００４８】
また、本実施の形態におけるプリント端末１１において、ユーザ情報出力部８は、所定のアドレスに対してユーザ情報を記載したメールを送信するメール送信部８１を備える。
【００４９】
従って、画像データが添付されたメールにより、遠隔から画像データを取得する場合であっても、メールの送信元に対して、ユーザ情報を記載したメールを送信することによって、使用者にユーザ情報を通知することが可能である。
【００５０】
＜実施の形態２＞
＜構成＞
図９に、本実施の形態におけるプリント端末１１Ａの機能ブロック図を示す。プリント端末１１Ａの画像データ取得部６は、実施の形態１のプリント端末１１（図２）に対して、記憶媒体を装着するインターフェースとしての記憶媒体装着部６３をさらに備える。
【００５１】
また、プリント端末１１Ａのユーザ情報出力部８は、実施の形態１のプリント端末１１（図２）に対して、ユーザ情報印刷出力部８２をさらに備える。その他の構成は実施の形態１と同じため、説明を省略する。
【００５２】
＜動作＞
記憶媒体装着部６３は、例えば光学ドライブやカードリーダーなどであり、記憶媒体を装着して、記憶媒体に記憶されている画像データを読み込むことが可能である。記憶媒体とは、例えばＣＤ−ＲＯＭやメモリカードなどである。
【００５３】
実施の形態１におけるプリント端末１１は、画像を添付した電子メールを受信することのみにより画像データを取得した。一方、本実施の形態におけるプリント端末１１Ａは、画像データが記憶された記録媒体を、直接記録媒体装着部６３に装着することによっても、画像データを取得することが可能である。
【００５４】
ユーザ情報印刷出力部８２は例えばレシート用プリンタであり、ユーザ情報（ユーザＩＤ、パスワードおよび機器識別情報）を紙に印刷する。実施の形態１におけるプリント端末１１は、ユーザ情報を記載した電子メールを送信することのみによってユーザ情報を出力可能であった。一方、本実施の形態におけるプリント端末１１Ａは、ユーザ情報を印刷して出力することが可能である。また、使用者は自己のメールアドレスを操作部１５からプリント端末１１Ａに入力し、ユーザ情報出力部８は、所定のメールアドレス（即ち使用者のメールアドレス）にユーザ情報を送信する構成としてもよい。その他の動作は実施の形態１と同じため、説明を省略する。
【００５５】
なお、記憶媒体装着部６３の代わりに、携帯型電子機器（例えば、デジタルカメラ、携帯電話、スマートフォン等）を直接接続するインターフェースを備える構成としてもよい。このような構成とすることによって、例えばデジタルカメラに記憶されている画像データを直接取得することが可能となる。
【００５６】
＜効果＞
本実施の形態におけるプリント端末１１Ａにおいて、画像データ取得部６は、記憶媒体を装着するインターフェースをさらに備え、当該記憶媒体に記憶されている画像データを取得することを特徴とする。
【００５７】
従って、記憶媒体を装着するインターフェース（即ち記録媒体装着部６３）をさらに備えることにより、画像添付メールからの画像データ取得に加えて、記録媒体から直接画像データを取得することが可能となるため、使用者の使い勝手が向上する。
【００５８】
また、本実施の形態におけるプリント端末１１Ａにおいて、画像データ取得部６は、携帯型電子機器を直接接続するインターフェースをさらに備え、当該携帯端末に記憶されている画像データを取得することを特徴とする。
【００５９】
従って、携帯型電子機器を直接接続するインターフェースをさらに備えることにより、画像添付メールからの画像データ取得に加えて、携帯型電子機器から直接画像データを取得することが可能となるため、使用者の使い勝手が向上する。
【００６０】
また、本実施の形態におけるプリント端末１１Ａにおいて、ユーザ情報出力部８は、ユーザ情報を印刷出力するユーザ情報印刷出力部８２をさらに備える。
【００６１】
従って、記録媒体や携帯型電子機器から直接画像データを取得する場合は、使用者はプリント端末１１Ａの設置場所に存在するため、ユーザ情報を印刷出力することにより、使用者に直接ユーザ情報を通知することが可能となり、使い勝手を向上させることができる。
【００６２】
＜実施の形態３＞
＜構成＞
図１０に、本実施の形態におけるプリント端末１１Ｂの機能ブロック図を示す。プリント端末１１Ｂのユーザ情報出力部８は、実施の形態２のプリント端末１１Ａ（図９）のユーザ情報印刷出力部８２に替えて、２次元コード印刷出力部８３を備える。
【００６３】
また、本実施の形態におけるユーザ情報入力部１４は、タッチパネルキーボードによるユーザ情報の受け付けに加えて、２次元コードスキャナーによる２次元コードの読み取りが可能であるとする。本実施の形態において、２次元コードとは、例えばＱＲコード（登録商標）であるとする。その他の構成は実施の形態２（図９）と同じため、説明を省略する。
【００６４】
＜動作＞
２次元コード印刷出力部８３は、ユーザ情報が埋め込まれた２次元コードを印刷して出力する。使用者は、印刷出力された２次元コードを２次元コードスキャナーにかざすことにより、ユーザ情報入力部１４にユーザ情報を入力する。その他の動作は実施の形態２と同じため、説明を省略する。
【００６５】
なお、ユーザ情報出力部８は、２次元コード印刷出力部８３の替わりにバーコード印刷出力部を備え、ユーザ情報入力部１４はバーコードスキャナーによるバーコードの読み取りが可能であるとしてもよい。この場合、バーコード印刷出力部は、ユーザ情報が埋め込まれたバーコードを印刷して出力する。
【００６６】
＜効果＞
本実施の形態におけるプリント端末１１Ｂにおいて、ユーザ情報出力部８は、ユーザ情報が埋め込まれた２次元コードを印刷出力する２次元コード印刷出力部８３をさらに備え、ユーザ情報入力部１４は、２次元コードを読み取ることを特徴とする。
【００６７】
従って、ユーザ情報を文字情報として印刷出力するのではなく、２次元コードとして印刷出力することによって、ユーザ情報を入力する際に、使用者は印刷された２次元コードを２次元コードスキャナーに認識させるだけでよい。よって、キーボード等によってユーザ情報を入力する必要が無くなるため、使用者の負担が軽減され、使い勝手が向上する。
【００６８】
また、本実施の形態におけるプリント端末１１Ｂにおいて、２次元コードはＱＲコード（登録商標）であることを特徴とする。
【００６９】
従って、２次元コードとして広く普及しているＱＲコードを用いることにより、設備を導入する際のコストが低減される。
【００７０】
また、本実施の形態におけるプリント端末１１Ｂにおいて、ユーザ情報出力部８は、ユーザ情報が埋め込まれたバーコードを印刷出力するバーコード印刷出力部をさらに備え、ユーザ情報入力部１４は、バーコードを読み取ることを特徴とする。
【００７１】
従って、ユーザ情報を文字情報として印刷出力するのではなく、バーコードとして印刷出力することによって、ユーザ情報を入力する際に、使用者は印刷されたバーコードをバーコードスキャナーに認識させるだけでよい。よって、キーボード等によってユーザ情報を入力する必要が無くなるため、使用者の負担が軽減され、使い勝手が向上する。
【００７２】
＜実施の形態４＞
本実施の形態におけるプリント端末は、実施の形態１のプリント端末１１に対して、画像データ蓄積部２１に記憶されているデータをバックアップするバックアップ部をさらに備える。
【００７３】
従って、バックアップ部が画像データ蓄積部２１のデータをバックアップすることによって、画像データ蓄積部２１に不具合等が生じてデータが失われた場合であっても、バックアップ部に記憶されたデータを使用して、プリントサービスを行うことが可能である。
【００７４】
なお、本発明は、その発明の範囲内において、各実施の形態を自由に組み合わせたり、各実施の形態を適宜、変形、省略することが可能である。
【符号の説明】
【００７５】
３  ウェブサイト、４  ネットワークＩ／Ｆ、５  制御部、６  画像データ取得部、７  ユーザ情報設定部、８  ユーザ情報出力部、９  ファイル管理部、１０  データ受信部、１１，１１Ａ，１１Ｂ，１２，１ｎ  プリント端末、１４  ユーザ情報入力部、１５  操作部、１６  画像処理部、１８  課金処理部、１９  印刷処理部、２０  カメラ付き携帯電話、２１  画像データ蓄積部、３０  インターネット、３１  通信キャリアネットワーク、４０  画面表示部、４１  テンキー、４２  プレビュー部、４３  頁送りボタン、４４  課金表示部、５１  画像取り出し口、５２  コイン投入口、２１１  第１のユーザディレクトリ、２１２  第２のユーザディレクトリ、２１ｍ  第ｍのユーザディレクトリ。
【図１】
2015000504.tif 000003
【図２】
2015000504.tif 000004
【図３】
2015000504.tif 000005
【図４】
2015000504.tif 000006
【図５】
2015000504.tif 000007
【図６】
2015000504.tif 000008
【図７】
2015000504.tif 000009
【図８】
2015000504.tif 000010
【図９】
2015000504.tif 000011
【図１０】
2015000504.tif 000012